【手続補正書】
【提出日】平成18年6月20日(2006.6.20)
【手続補正１】
【補正対象書類名】明細書
【補正対象項目名】発明の名称
【補正方法】変更
【補正の内容】
【発明の名称】記録媒体、記録装置、記録方法
【手続補正２】
【補正対象書類名】明細書
【補正対象項目名】特許請求の範囲
【補正方法】変更
【補正の内容】
【特許請求の範囲】
【請求項１】  データ記録が可能な複数の記録層を有するとともに、記録トラックとなるグルーブのウォブリングによって予めアドレス及び物理フォーマット情報が記録されている記録媒体において、
上記各記録層におけるユーザーデータ記録可能な最大位置情報が、上記グルーブのウォブリングによる物理フォーマット情報として記録されていることを特徴とする記録媒体。
【請求項２】  データ記録が可能な複数の記録層を有するとともに、記録トラックとなるグルーブのウォブリングによって予めアドレス及び物理フォーマット情報が記録され、さらに上記物理フォーマット情報には、上記各記録層におけるユーザーデータ記録可能な最大位置情報が記録されている記録媒体に対する記録装置として、
上記各記録層に対してデータ記録を行う記録手段と、
上記グルーブのウォブリングによるアドレス及び物理フォーマット情報を読み出すグルーブ情報読出手段と、
記録動作制御のために、上記グルーブ読出手段によって読み出された物理フォーマット情報から、ユーザーデータ記録可能な最大位置を確認する制御手段と、
を備えたことを特徴とする記録装置。
【請求項３】  上記制御手段は、ユーザーデータ記録後の所定タイミングにおいて、上記物理フォーマット情報を含む管理情報を、上記記録手段により上記記録媒体の所定領域に記録させるとともに、
上記管理情報に含ませる上記物理フォーマット情報の内容としての上記ユーザーデータ記録可能な最大位置情報は、実際のユーザーデータ記録状態に応じて値を変更することを特徴とする請求項２に記載の記録装置。
【請求項４】  データ記録が可能な複数の記録層を有するとともに、記録トラックとなるグルーブのウォブリングによって予めアドレス及び物理フォーマット情報が記録され、さらに上記物理フォーマット情報には、上記各記録層におけるユーザーデータ記録可能な最大位置情報が記録されている記録媒体に対する記録方法として、
上記グルーブのウォブリングによるアドレス及び物理フォーマット情報を読み出すグルーブ情報読出ステップと、
上記グルーブ読出ステップで読み出された物理フォーマット情報から、ユーザーデータ記録可能な最大位置を確認する確認ステップと、
上記確認ステップで確認されたユーザーデータ記録可能な最大位置に基づいて、記録動作のための所定の制御を行う制御ステップと、
を備えたことを特徴とする記録方法。
【請求項５】  さらに、ユーザーデータ記録後の所定タイミングにおいて、上記物理フォーマット情報を含む管理情報を上記記録媒体の所定領域に記録する管理情報記録ステップを有し、
上記管理情報記録ステップでは、上記管理情報に含ませる上記物理フォーマット情報の内容としての上記ユーザーデータ記録可能な最大位置情報は、実際のユーザーデータ記録状態に応じて値を変更することを特徴とする請求項４に記載の記録方法。
【手続補正３】
【補正対象書類名】明細書
【補正対象項目名】０００１
【補正方法】変更
【補正の内容】
【０００１】
【発明の属する技術分野】
本発明は、複数の情報記録層を有しデータ記録可能とされたディスク等の記録媒体、及びその記録媒体に対応する記録装置、記録方法に関するものである。
【手続補正４】
【補正対象書類名】明細書
【補正対象項目名】００１１
【補正方法】変更
【補正の内容】
【００１１】
【課題を解決するための手段】
そこで本発明はこのような事情を考慮し、複数の記録層を有する記録可能型のディスクにおいて、各記録層でのユーザーデータの記録可能領域の最大位置を、記録装置や再生装置が容易に確認できるようにすることを目的とする。
【手続補正５】
【補正対象書類名】明細書
【補正対象項目名】００１３
【補正方法】変更
【補正の内容】
【００１３】
本発明の記録装置は、上記記録媒体に対する記録装置として、上記各記録層に対してデータ記録を行う記録手段と、上記グルーブのウォブリングによるアドレス及び物理フォーマット情報を読み出すグルーブ情報読出手段と、記録動作制御のために、上記グルーブ読出手段によって読み出された物理フォーマット情報から、ユーザーデータ記録可能な最大位置を確認する制御手段と、を備える。
また上記制御手段は、ユーザーデータ記録後の所定タイミングにおいて、上記物理フォーマット情報を含む管理情報を、上記記録手段により上記記録媒体の所定領域に記録させるとともに、上記管理情報に含ませる上記物理フォーマット情報の内容としての上記ユーザーデータ記録可能な最大位置情報は、実際のユーザーデータ記録状態に応じて値を変更する。
【手続補正６】
【補正対象書類名】明細書
【補正対象項目名】００１４
【補正方法】変更
【補正の内容】
【００１４】
本発明の記録方法は、上記記録媒体に対する記録方法として、グルーブのウォブリングによるアドレス及び物理フォーマット情報を読み出すグルーブ情報読出ステップと、上記グルーブ読出ステップで読み出された物理フォーマット情報から、ユーザーデータ記録可能な最大位置を確認する確認ステップと、上記確認ステップで確認されたユーザーデータ記録可能な最大位置に基づいて、記録再生動作のための所定の制御を行う制御ステップとを備える。
また、さらに、ユーザーデータ記録後の所定タイミングにおいて、上記物理フォーマット情報を含む管理情報を上記記録媒体の所定領域に記録する管理情報記録ステップを有し、上記管理情報記録ステップでは、上記管理情報に含ませる上記物理フォーマット情報の内容としての上記ユーザーデータ記録可能な最大位置情報は、実際のユーザーデータ記録状態に応じて値を変更する。
【手続補正７】
【補正対象書類名】明細書
【補正対象項目名】００１５
【補正方法】変更
【補正の内容】
【００１５】
即ち本発明では、例えばＤＶＤ＋Ｒ、ＤＶＤ＋ＲＷ等の記録可能型で、かつ複数の記録層を有する記録媒体において、ウォブリンググルーブによる物理フォーマット情報により、各記録層（レイヤ）のユーザーデータの記録可能領域（データゾーン）の最大アドレスが記録されるようにし、記録装置や再生装置においては、その情報によって各レイヤのデータゾーンの最大アドレスが確認できるようにする。
【手続補正８】
【補正対象書類名】明細書
【補正対象項目名】００２２
【補正方法】変更
【補正の内容】
【００２２】
フィジカルセクターナンバ（ＰＳＮ：Physical Sector Number, 物理セクターナンバ）は、ディスク上の絶対位置情報として付与されている。
図示するように、例えばディスク内周側から外周側に掛けてフィジカルセクターナンバの値は増加されていく。ＤＶＤ＋Ｒの場合、ＰＳＮ＝２ＦＦＦＦｈ（ｈを付した数値は１６進表現）がリードインゾーンの終端とされ、ＰＳＮ＝３００００ｈからデータゾーンが開始される。
データゾーンは、基本的にはユーザーデータの書込が行われる領域であり、またリードインゾーンは、管理情報の書込が行われる。またリードアウトゾーンは例えば再生専用ディスクとの互換維持などの目的からダミーデータの書込が行われる。
【手続補正９】
【補正対象書類名】明細書
【補正対象項目名】００８７
【補正方法】変更
【補正の内容】
【００８７】
【発明の効果】
以上の説明から理解されるように本発明の記録媒体は、ウォブリンググルーブによる物理フォーマット情報により、各記録層（レイヤ）のユーザーデータの記録可能領域（データゾーン）の最大アドレスが記録される。従って記録装置や再生装置においては、その情報によって各レイヤのデータゾーンの最大アドレスが確認できる。つまり記録装置や再生装置側では、ディスク毎に、そのディスクの各レイヤのデータゾーンの最大アドレスが確認でき、それに応じて記録再生動作制御を行えばよい。
これによっては、将来的なフォーマットの拡張・変更によるデータゾーンの変更に対応することが容易となるという効果がある。
また各レイヤでの記録範囲、アクセス時の移動制限など、記録再生動作に伴う制御を、確認した最大アドレスに基づくことで、多様なフォーマット（データゾーン範囲）の記録媒体が併存しても記録装置や再生装置は対応できる。
また、ウォブリンググルーブにより記録される物理フォーマット情報を拡張して各レイヤのデータゾーンの最大アドレスを記録するものであるため、本発明の記録装置、記録方法の実現の際には、特別な読出動作やハードウエア構成を必要としないという利点もある。
【手続補正１０】
【補正対象書類名】明細書
【補正対象項目名】００８８
【補正方法】変更
【補正の内容】
【００８８】
また本発明の記録装置、記録方法ではユーザーデータ記録後の所定タイミングにおいて、上記物理フォーマット情報を含む管理情報を、記録媒体の所定領域に記録させるとともに、その管理情報に含ませる物理フォーマット情報の内容としての上記ユーザーデータ記録可能な最大位置情報は、実際のユーザーデータ記録状態に応じて値を変更することで、記録後の各レイヤの最大アドレスが管理情報（リードイン）に反映される。従って再生時には、その管理情報から最大アドレスを確認して適正な制御が可能となる。